(57)【要約】【課題】  ホストコンピュータ側の印刷情報作成者が任意に体裁情報を指定していても、印刷装置から体裁にばらつきのない見慣れた印刷結果を得ることである。【解決手段】  ホストコンピュータ４０１、４０２から印刷情報を受信して印刷処理を行う印刷装置において、スキャナユニット２１０から読み込まれる既存の出力された紙文書から体裁情報を制御装置１１０が取得し、ホストコンピュータ４０１、４０２から受信する印刷情報で既存の体裁情報を利用する指定がなされているかどうかを制御装置１１０が判断して、既存の体裁情報を利用する指定がなされていると判断した場合に、該取得される前記体裁情報を参照して、ホストコンピュータ４０１、４０２から受信する印刷情報の体裁を調整する構成を特徴とする。【選択図】  図１
2006142697.tif 000002
【特許請求の範囲】
【請求項１】
ホストコンピュータから印刷情報を受信して印刷処理を行う印刷装置であって、
スキャナで読み込まれる文書の体裁を示す体裁情報を取得する取得手段と、
前記取得手段により取得される体裁情報を印刷情報に利用することが指定されているかを判断する判断手段と、
前記取得手段により取得される体裁情報を利用することが指定されていると前記判断手段により判断した場合に、前記ホストコンピュータから受信する印刷情報の体裁を、前記取得手段により取得される前記体裁情報を参照して調整する印刷制御手段と、
を有することを特徴とする印刷装置。
【請求項２】
ホストコンピュータから印刷情報を受信して印刷処理を行う印刷装置であって、
記憶装置に格納されているデータの体裁を示す体裁情報を取得する取得手段と、
前記取得手段により取得される体裁情報を印刷情報に利用することが指定されているかを判断する判断手段と、
前記取得手段により取得される体裁情報を利用することが指定されていると前記判断手段により判断した場合に、前記ホストコンピュータから受信する印刷情報の体裁を、前記記憶手段に記憶される前記体裁情報を参照して調整する印刷制御手段と、
を有することを特徴とする印刷装置。
【請求項３】
前記体裁情報は、文書中の文字の文字フォントの書体、文字サイズを含むことを特徴とする請求項１または２記載の印刷装置。
【請求項４】
前記体裁情報は、文書のページ構成が両面印刷であることまたは複数ページ印刷（Ｎｉｎ１）であることを示すレイアウト情報を含むことを特徴とする請求項１または２記載の印刷装置。
【請求項５】
前記体裁情報は、文書がカラー出力またはモノクロ出力であるかを示すカラーモード情報を含むことを特徴とする請求項１または２記載の印刷装置。
【請求項６】
前記取得手段は、使用頻度のより高い書体または文字サイズを示す体裁情報を取得し、
前記印刷制御手段は、前記印刷情報が示す文字を、前記取得手段により取得される体裁情報が示す書体または文字サイズで印刷するよう調整することを特徴とする請求項１乃至５のいずれかに記載の印刷装置。
【請求項７】
ホストコンピュータから印刷情報を受信して印刷処理を行う印刷装置における印刷制御方法であって、
スキャナで読み込まれる文書の体裁を示す体裁情報を取得する取得ステップと、
前記取得ステップで取得される体裁情報を利用することが指定されているかを判断する判断ステップと、
前記取得ステップで取得される体裁情報を利用することが指定されていると前記判断ステップで判断した場合に、前記ホストコンピュータから受信する印刷情報の体裁を、前記取得ステップにより取得される前記体裁情報を参照して調整する印刷制御ステップと、
を有することを特徴とする印刷制御方法。
【請求項８】
ホストコンピュータから印刷情報を受信して印刷処理を行う印刷装置における印刷制御方法であって、
記憶装置に格納されているデータの体裁を示す体裁情報を取得する取得ステップと、
前記取得ステップで取得される体裁情報を利用することが指定されているかを判断する判断ステップと、
前記取得ステップで取得される体裁情報を利用することが指定されていると前記判定ステップで判断した場合に、前記ホストコンピュータから受信する印刷情報の体裁を、前記取得ステップで取得される前記体裁情報を参照して調整する印刷制御ステップと、
を有することを特徴とする印刷制御方法。
【請求項９】
前記体裁情報は、文書中の文字の文字フォントの書体、文字サイズを含むことを特徴とする請求項７または８記載の印刷制御方法。
【請求項１０】
前記体裁情報は、文書のページ構成が両面印刷であることまたは複数ページ印刷（Ｎｉｎ１）であることを示すレイアウト情報を含むことを特徴とする請求項７または８記載の印刷制御方法。
【請求項１１】
前記体裁情報は、文書がカラー出力またはモノクロ出力であるかを示すカラーモード情報を含むことを特徴とする請求項７または８記載の印刷制御方法。
【請求項１２】
前記取得ステップでは、使用頻度のより高い書体または文字サイズを示す体裁情報を取得し、
前記印刷制御ステップでは、前記印刷情報が示す文字を、前記取得手段により取得される体裁情報が示す書体または文字サイズで印刷するよう調整することを特徴とする請求項７乃至１１のいずれかに記載の印刷装置。
【請求項１３】
請求項７〜１２のいずれかに記載の印刷制御方法を実行させるためのプログラムを格納したことを特徴とするコンピュータが読み取り可能な記憶媒体。
【請求項１４】
請求項７〜１２のいずれかに記載の印刷制御方法を実行させることを特徴とするプログラム。
【発明の詳細な説明】
【技術分野】
【０００１】
本発明は、ホストコンピュータから印刷情報を受信して印刷処理を行う印刷装置および印刷制御方法およびコンピュータが読み取り可能なプログラムを格納した記憶媒体およびプログラムに関するものである。
【背景技術】
【０００２】
一般に、ホストコンピュータから供給されるデータを取り込み、このデータを所定の形態で出力する装置として印刷装置がある。また、前記印刷装置にスキャナ等の読み取り装置を備えて、ＦＡＸ機能が接続された装置として複合機がある。
【０００３】
ユーザはコピーやＦＡＸで出力された既存の紙文書に新たにホストコンピュータからのデータに基いて複合機で出力した紙文書を追加して全体の文書資料とする場合がある。
【０００４】
また、文書データを用紙に出力せずに機器内のハードディスク等の記憶装置に格納し、必要な時に出力する場合がある。ユーザが既に記憶装置に格納された文書データとホストコンピュータから出力する文書データを合わせて全体の資料とする場合がある。
【０００５】
また、従来、ＰＤＬデータと画像データを合成して画像出力するものが下記特許文献１及び２に開示されている。
【特許文献１】特開平１−１８４５８０号公報
【特許文献２】特開平５−２９２２４０号公報
【発明の開示】
【発明が解決しようとする課題】
【０００６】
しかし、コピーやＦＡＸ等で出力された紙文書に使用されているフォントの書体や文字サイズがホストコンピュータから出力する文書データで使用されているフォントの書体や文字サイズと異なると、全体の文書として体裁の整わない資料と感じられてしまう場合があった。
【０００７】
同様に、コピーやＦＡＸ等で出力された紙文書が両面印刷や複数ページ印刷（Ｎｉｎ１）されている場合、ホストコンピュータから出力する文書データのレイアウト（両面印刷であるか否か、複数ページ印刷であるか否か）と異なると、全体の文書として体裁の整わない資料と感じられてしまう場合があった。
【０００８】
また、同様にコピーやＦＡＸ等で出力された紙文書がカラーで出力されていた場合、ホストコンピュータから出力する文書データがモノクロで出力されてしまうと、全体の文書として体裁の整わない資料と感じられてしまう場合があった。
【０００９】
また、文書データをハードディスク等の記憶装置に格納しておき、更にホストコンピュータから出力する文書データと合わせて全体の資料とする場合、全体の文書として体裁の整わない資料と感じられてしまう場合があった。
【００１０】
本発明は、上記の課題を解決するためになされたもので、本発明の第１の目的は、ホストコンピュータから印刷情報を受信して印刷処理を行う印刷装置において、スキャナで読み込まれる文書の体裁を示す体裁情報を取得し、前記ホストコンピュータから受信する印刷情報に対して、該取得される前記体裁情報を参照して、前記印刷情報の体裁を調整することにより、原稿読取り処理から取得される文書の体裁を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる印刷装置および印刷制御方法およびコンピュータが読み取り可能なプログラムを格納した記憶媒体およびプログラムを提供することである。
【００１１】
また、ホストコンピュータから印刷情報を受信して印刷処理を行う印刷装置において、記憶手段に格納されているデータの体裁を示す体裁情報を取得し、ホストコンピュータから受信する印刷情報に対して、取得した前記体裁情報を参照して、前記印刷情報の体裁を調整することにより、記憶されるデータに設定されている体裁を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる印刷装置および印刷制御方法およびコンピュータが読み取り可能なプログラムを格納した記憶媒体およびプログラムを提供することである。
【課題を解決するための手段】
【００１２】
上記目的を達成する本発明の印刷装置は以下に示す構成を備える。
【００１３】
ホストコンピュータから印刷情報を受信して印刷処理を行う印刷装置であって、スキャナで読み込まれる文書の体裁を示す体裁情報を取得する取得手段と、前記取得手段により取得される体裁情報を印刷情報に利用することが指定されているかを判断する判断手段と、前記取得手段により取得される体裁情報を利用することが指定されていると前記判断手段により判断した場合に、前記ホストコンピュータから受信する印刷情報の体裁を、前記取得手段により取得される前記体裁情報を参照して調整する印刷制御手段とを有することを特徴とする。
【００１４】
また、ホストコンピュータから印刷情報を受信して印刷処理を行う印刷装置であって、記憶装置に格納されているデータの体裁を示す体裁情報を取得する取得手段と、前記取得手段により取得される体裁情報を印刷情報に利用することが指定されているかを判断する判断手段と、前記取得手段により取得される体裁情報を利用することが指定されていると前記判断手段により判断した場合に、前記ホストコンピュータから受信する印刷情報の体裁を、前記記憶手段に記憶される前記体裁情報を参照して調整する印刷制御手段とを有することを特徴とする。
【００１５】
上記目的を達成する本発明の印刷制御方法は以下に示す構成を備える。
【００１６】
ホストコンピュータから印刷情報を受信して印刷処理を行う印刷装置における印刷制御方法であって、スキャナで読み込まれる文書の体裁を示す体裁情報を取得する取得ステップと、前記取得ステップで取得される体裁情報を利用することが指定されているか否かを判断する判断ステップと、前記取得ステップで取得される体裁情報を利用することが指定されていると前記判断ステップで判断した場合に、前記ホストコンピュータから受信する印刷情報の体裁を、前記取得ステップにより取得される前記体裁情報を参照して調整する印刷制御ステップとを有することを特徴とする。
【００１７】
また、ホストコンピュータから印刷情報を受信して印刷処理を行う印刷装置における印刷制御方法であって、記憶装置に格納されているデータの体裁を示す体裁情報を取得する取得ステップと、前記ホストコンピュータから受信する印刷情報の体裁を、前記取得ステップで取得される前記体裁情報を参照して調整する印刷制御ステップとを有することを特徴とする。
【発明の効果】
【００１８】
本発明によれば、ホストコンピュータから印刷情報を受信して印刷する際に、スキャナで読み込まれる文書の体裁を利用する指定がなされている場合には、当該文書の体裁を示す体裁情報を利用して、印刷情報の体裁を調整できるため、ホストコンピュータ側の印刷情報作成者が任意に体裁情報を指定していても、印刷装置から体裁にばらつきのない印刷結果を得ることができる。
【００１９】
また、ホストコンピュータから印刷情報を受信して印刷する際に、印刷装置で記憶されるデータの体裁を利用する指定がなされている場合には、当該データの体裁を示す体裁情報を利用して、印刷情報の体裁を調整できるため、ホストコンピュータ側の印刷情報作成者が任意に体裁情報を指定していても、印刷装置から体裁にばらつきのない印刷結果を得ることができるという効果を奏する。
【発明を実施するための最良の形態】
【００２０】
次に本発明を実施するための最良の形態について図面を参照して説明する。
【００２１】
＜システム構成の説明＞
〔第１実施形態〕
図１は、本発明の第１実施形態を示す印刷装置を適用可能な画像入出力システムの一例を示す図である。
【００２２】
図１において、リーダ部（リーダ装置）２００は、原稿画像を光学的に読み取り、画像データに変換する。リーダ部２００は、原稿を読み取るための機能を持つスキャナユニット２１０と、原稿用紙を搬送するための機能を持つ原稿給送ユニット２５０とで構成される。
【００２３】
プリンタ部（プリンタ装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙を機外へ出力する機能を持つ排紙ユニット３３０、及びステイプル処理、ソート処理を行うフィニッシャ部５００とで構成される。
【００２４】
制御装置（コントローラ部）１１０は、リーダ部２００、プリンタ部３００と電気的に接続され、さらにネットワーク４００を介して、ホストコンピュータ４０１，４０２と接続されている。
【００２５】
制御装置１１０は、リーダ部２００を制御して、原稿の画像データを読込み、プリンタ部３００を制御して画像データを記録用紙に出力してコピー機能を提供する。また、リーダ部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００２６】
操作部１５０は、制御装置１１０に接続され、液晶タッチパネルで構成され、画像入出力システムを操作するためのユーザＩ／Ｆを提供する。
【００２７】
図２は、図１に示したリーダ部２００及びプリンタ部３００の構成を説明する断面図である。
【００２８】
図２において、リーダ部２００の原稿給送ユニット２５０は原稿を先頭順に１枚ずつプラテンガラス２１１上へ給送し、原稿の読み取り動作終了後、プラテンガラス２１１上の原稿を排出トレイ２１９に排出するものである。
【００２９】
原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００３０】
プリンタ部３００のレーザドライバはレーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３１】
そして、レーザ光の照射開始と同期したタイミングで、カセット３１１、カセット３１２、カセット３１３、カセット３１４、手差し給紙段３１５のいずれかから記録紙を転写部３２５へ搬送路３３１によって、給紙し、感光ドラム３２３に付着された現像剤を記録紙に転写する。現像剤の乗った記録紙は搬送ベルト３２６によって、定着部３２７に搬送され、定着部３２７の熱と圧力により現像剤は記像紙に定着される。
【００３２】
その後、定着部３２７を通過した記録紙は搬送路３３５、搬送路３３４を通り、排出される。あるいは、印字面を反転して排出する場合には、搬送路３３７、搬送路３３８まで導かれ、そこから記録紙を逆方向に搬送し、搬送路３３７、搬送路３３４を通る。
【００３３】
また、両面記録が設定されている場合は、定着部３２７を通過したあと、搬送路３３７からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。搬送路３３４より排出された記録紙はフィニッシャ部５００へ搬送される。
【００３４】
搬送された記録紙はまずバッファユニット５０１へ送られる。ここでは場合に応じて搬送されてきた記録紙をバッファローラに巻きつけてバッファリングする。例えばこの下流で行われるステイプル等処理に時間がかかる場合は、このバッファユニットを利用することによって本体から搬送されてくる記録紙の搬送速度を一定に保つことができ、スループットの向上に役立たせることが可能である。記録紙はこの後上流排出ローラ対５０２、下流排出ローラ対５０３でスタックトレイ５０７ａに排出される。
【００３５】
次に、以上のような構成からなる出力装置において第１実施形態における処理動作を説明する。
【００３６】
図３は、本発明に係る印刷装置における第１のデータ処理手順を示すフローチャートであり、文書の文字特徴情報の抽出並びに印刷すべき文字属性の決定処理に対応する。なお、Ｓ３１〜Ｓ３６は各ステップを示し、各ステップは、制御装置１１０内の図示しないＣＰＵがＲＯＭやハードディスク等からＲＡＭ上にロードする制御プログラムを実行することで実現される。
【００３７】
コピー等により出力された紙文書をスキャナユニット２１０を通して機器内に読み込ませると、ステップＳ３１において、紙文書で使用されている文字フォントの書体、文字サイズを制御装置１１０が認識処理プログラムを実行して種類別にカウントする。
【００３８】
そして、ステップＳ３２において、カウントした総数が有効な閾値に達したかどうか判断し、達していないと判断した場合は、ステップＳ３３において、文字の体裁情報を取得できなかった旨、操作部１５０が備えるＵＩパネルに表示し本処理を終了する。
【００３９】
一方、ステップＳ３２で、カウントした総数が有効な閾値に達していると判定した場合は、ステップＳ３４において、最も使用頻度の高い書体およびその文字サイズを「通常文章表示用のフォント書体、文字サイズ」情報として、制御装置１１０内に備える記憶装置に記憶する。
【００４０】
そして、ステップＳ３５において、通常文章用に格納した文字サイズより大きい文字サイズで頻度の最も高い書体および文字サイズを「章・段落表示用のフォント書体、文字サイズ」として、制御装置１１０内に備える記憶装置に記憶する。
【００４１】
但し、使用されているフォントで通常文章用より大きい文字サイズが複数検出された場合、検出した書体がゴシック体の方を明朝体より優先して「章・段落表示用のフォント、文字サイズ」として記憶する。
【００４２】
そして、ステップＳ３６において、通常文章用に格納した文字サイズより小さい文字サイズで頻度の最も高い書体および文字サイズを「注釈・参照表示用のフォント書体、文字サイズ」として制御装置１１０内に備える記憶装置に記憶して、本処理を終了する。
【００４３】
但し、使用されているフォントで通常文章用より小さい文字サイズが複数検出された場合、検出した書体が明朝体の方をゴシック体より優先して「注釈・参照表示用のフォント書体、文字サイズ」として、制御装置１１０内に備える記憶装置に記憶する。
【００４４】
図４は、図１に示したスキャナユニット２１０により読み込まれる紙文書の一例を示す図であり、見出し文と、本文と、注釈文とから構成される一般的な文書例に対応する。
【００４５】
図４において、ＳＨ１は文書で、上記ステップＳ３１による文字認識処理に従って最も使用頻度の高い通常文書用のフォント書体および文字サイズが「明朝体／８ポイント」として、制御装置１１０内の記憶装置に記憶される。
【００４６】
同様に上記ステップＳ３１に従って章・段落表示用のフォント書体および文字サイズが「ゴシック体／１２ポイント」、注釈・参照用のフォント書体および文字サイズが「明朝体／６ポイント」として制御装置１１０内の記憶装置に記憶される。
【００４７】
なお、上記処理では、単純なレイアウトの文書に対して読み取られる文字情報から最適な文字サイズとフォント書体を決定する場合について説明したが、カラー文書、両面文書、１ページに複数の頁がレイアウトされるような文書を認識して、印刷レイアウトや印刷モードを決定するように構成してもよい。
【００４８】
図５は、本発明に係る印刷装置における第２のデータ処理手順を示すフローチャートであり、文書情報の解析に基づく、文書のレイアウトおよび印刷モード決定処理手順に対応する。なお、Ｓ４１〜Ｓ４６は各ステップを示し、各ステップは、制御装置１１０内の図示しないＣＰＵがＲＯＭやハードディスク等からＲＡＭ上にロードする制御プログラムを実行することで実現される。以下、文書として、両面および複数ページ印刷（Ｎｉｎ１）で印刷されている場合の処理例について説明する。
【００４９】
先ず、ステップＳ４１において、スキャナユニット２１０で、読み込ませた紙文書が両面で印刷されているか片面のみ印刷されているか制御装置１１０で判断し、両面で印刷されていると判断した場合は、ステップＳ４２において、「ページレイアウト」情報として記憶装置に記憶する。なお、ステップＳ４１で、両面で印刷されていないと判断した場合は、ステップＳ４３へ進む。
【００５０】
更に、ステップＳ４３において、複数ページ（Ｎｉｎ１）で印刷されているかを制御装置１１０が所定のレイアウト認識処理により判断し、複数ページ（Ｎｉｎ１）で印刷されていると判断した場合は、ステップＳ４４で「ページレイアウト」情報として、制御装置１１０内の記憶装置に記憶する。
【００５１】
次に、ステップＳ４５において、スキャナユニット２１０で、読み込ませた紙文書がカラーで印刷されているかを制御装置１１０を所定の画像認識処理で判断し、カラーで印刷されていると判断した場合は、ステップＳ４６において「カラーモード情報」をカラーとして、制御装置１１０内の記憶装置に格納して、本処理を終了する。なお、ステップＳ４５で、カラーで印刷されていないと判断した場合は、処理を終了する。
【００５２】
図６は、図１に示したスキャナユニット２１０により読み込まれる紙文書の一例を示す図であり、見出し文と、本文と、カラーオブジェクトが両面に印刷されている一般的な両面文書例に対応する。
【００５３】
図６において、図５に示すステップＳ４１に従って、レイアウト情報には「両面／複数ページ印刷（４ｉｎ１）」と制御装置１１０の記憶装置に記憶され、更にカラー出力されたオブジェクトを含んでいるため、カラーモード情報には「カラー出力」と制御装置１１０の記憶装置に記憶される。
【００５４】
以下、図４または図６に示した文書を読み取った後における印刷処理について説明する。
【００５５】
ホストコンピュータ４０１，４０２は、文章ドキュメントを画像入出力システム１００のプリンタ装置３００で出力する場合、プリンタ装置３００に適した印刷命令を生成し、当該プリンタ装置３００に生成した印刷命令を含んだ印刷データを送信する。
【００５６】
文字フォントの書体および文字サイズの選択に使用する印刷命令は「通常文章用のフォント書体、文字サイズ」、「章・段落表示用のフォント書体、文字サイズ」「注釈・参照表示用のフォント書体、文字サイズ」でそれぞれ指定を行うものとする。
【００５７】
また、両面印刷や複数ページ印刷（Ｎｉｎ１）の選択に使用する印刷命令は「ページレイアウト選択命令」でそれぞれ指定を行うものとする。
【００５８】
また、カラーで印刷するかモノクロで印刷するかの選択に使用する印刷命令は「カラーモード選択命令」でそれぞれ行うものとする。
【００５９】
また、既存の紙文書との体裁を合わせるかどうかの指定も生成する印刷命令で行うものとする。
【００６０】
図７は、本発明に係る印刷装置における第３のデータ処理手順を示すフローチャートであり、図１に示したホストコンピュータ４０１、４０２から前記生成した印刷命令を含む印刷データが送信されてきた時の印刷装置側の印刷処理手順に対応する。なお、Ｓ５１〜Ｓ５６は各ステップを示す。
【００６１】
図８は、図１に示したホストコンピュータ４０１、４０２が生成する印刷データの構造例を示す図であり、（Ａ）は片面印刷指定の印刷データ例に対応し、（Ｂ）は両面とカラー／モノクロの印刷モードと、レイアウト指定を伴う印刷データ例に対応し、Ｆ１、Ｆ２はフラグで、既存文書と体裁合わせを行うか否かを決定する情報である。
【００６２】
先ず、ステップＳ５１において、受信した、例えば図８の（Ｂ）に示す印刷データを解析して、既存の紙文書との体裁を合わせる印刷命令（例えば図８の（Ｂ）の既存文書と体裁合わせを示すフラグＦ２）が指定されている（フラグＦ２がＯＮ）かどうか制御装置１１０が判断して、指定されていないと判断した場合は、本処理を終了し通常の出力処理を行う。
【００６３】
一方、ステップＳ５１で、体裁を合わせる印刷命令が指定されていたと判断した場合は、ステップＳ５２において、制御装置１１０内の記憶装置に格納されている「通常文章用のフォント書体、文字サイズ」を印刷データのフォント選択時に参照するテーブルに記憶する。また、印刷データ中の印刷命令で「通常文章用のフォント書体、文字サイズ」が指定された場合、この参照用の参照テーブルに記載されているフォント書体、文字サイズで選択処理を行う。
【００６４】
そして、ステップＳ５３において、記憶装置に格納されている「章・段落表示用のフォント書体、文字サイズ」を印刷データのフォント選択時に参照する参照テーブルに記憶する。次に、ステップＳ５４において、「注釈・参照表示用のフォント書体、文字サイズ」を印刷データのフォント選択時に参照するテーブルに記憶する。
【００６５】
そして、印刷データ中の印刷命令で、「章・段落表示用のフォント書体、文字サイズ」、「注釈・参照表示用のフォント書体、文字サイズ」が指定されている場合、この参照用のテーブルに記載されているフォント書体、文字サイズでそれぞれ選択を行う。
【００６６】
次に、ステップＳ５５において、制御装置１１０内の記憶装置に格納されている「ページレイアウト情報」を印刷データの「ページレイアウト選択命令」時に参照する参照テーブルに記憶する。
【００６７】
そして、印刷データ中の印刷命令で「ページレイアウト選択命令」が指定された場合、この参照用のテーブルに記載されているページレイアウト情報に従って、両面印刷及び複数ページ印刷（Ｎｉｎ１）の選択を行う。
【００６８】
次に、ステップＳ５６において、記憶装置に格納されている「カラーモード情報」を印刷データの「カラーモード選択命令」時に参照する参照テーブルに格納して、処理を終了する。
【００６９】
そして、印刷データ中の印刷命令で「カラーモード選択命令」が指定された場合、この参照用のテーブルに記載されているカラーモード情報に従って、カラー印刷およびモノクロ印刷の選択を行う。
【００７０】
本実施形態では、上記の通り文書ドキュメントで使用されているフォントおよび文字サイズを３種類に分類したが、もちろん更に細かく分類することも可能である。
【００７１】
また、分類したフォントおよび文字サイズをユーザがパネルＵＩから選択することにより、印刷する文書にそれぞれ有効に反映させるかどうかのスイッチを備えるようにしても良い。
【００７２】
以上、述べたように第１実施形態によれば、コピーやＦＡＸ等で出力された紙文書に使用されているフォントの書体や文字サイズとホストコンピュータから出力する文書データで使用されているフォントの書体や文字サイズを合わせて、全体の文書として体裁の整った資料を作成することができるという効果がある。
【００７３】
同様にコピーやＦＡＸ等で出力された紙文書が両面印刷や複数ページ印刷（Ｎｉｎ１）されている場合、ホストコンピュータから出力する文書データのレイアウトと合わせて全体の文書として体裁の整った資料とを作成することができるという効果がある。
【００７４】
同様に、コピーやＦＡＸ等で出力された紙文書がカラーで印刷されている場合、ホストコンピュータから出力する文書データをカラー出力に合わせて全体の文書ドキュメントとして体裁の整った資料を作成することができるという効果がある。
【００７５】
〔第２実施形態〕
上記第１実施形態では、既存の紙文書とホストコンピュータ４０１、４０２から送信される印刷データとの体裁合わせを行う場合について説明したが、機器の記憶装置に予め格納されて保持された印刷データとホストコンピュータから送信されてくる印刷データとの体裁を合わせる場合にも本発明を適用可能である。以下、その実施形態について説明する。
【００７６】
図９は、本発明に係る印刷装置における第４のデータ処理手順を示すフローチャートであり、図１に示したホストコンピュータ４０１、４０２から前記生成した印刷命令を含む印刷データが送信されてきた時の印刷装置側の印刷処理手順に対応する。なお、Ｓ６１〜Ｓ６６は各ステップを示す。
【００７７】
コピーおよびホストコンピュータ４０１、４０２からの印刷データ等で用紙を排出せずに、制御装置１１０内に備えるハードディスク等の記憶装置に印刷データを格納し、必要な時にユーザが、操作部１５０が備えるＵＩパネル操作等により排紙動作を行わせ、記憶装置に格納された印刷データから所望の文書を取得する場合、ステップＳ６１において、制御装置１１０内の記憶装置に格納された印刷データで使用されている文字フォントの書体、文字サイズを制御装置１１０が種類別にカウントする。
【００７８】
次に、ステップＳ６２において、カウントした総数が有効な閾値に達したかどうか制御装置１１０が判断し、達しないと判断した場合は、ステップＳ６３において、文字の体裁情報を取得できなかった旨、ＵＩパネルに表示して、本処理を終了する。
【００７９】
一方、ステップＳ６２において、カウントした総数が有効な閾値に達していると判断した場合、ステップＳ６４において、最も使用頻度の高い書体およびその文字サイズを「通常文章表示用のフォント書体、文字サイズ」情報として、制御装置１１０内の記憶装置に記憶する。
【００８０】
そして、ステップＳ６５において、通常文章用に格納した文字サイズより大きい文字サイズで頻度の最も高い書体および文字サイズを「章・段落表示用のフォント書体、文字サイズ」として記憶する。
【００８１】
但し、使用されているフォントで通常文章用より大きい文字サイズが複数検出された場合、検出したフォント書体がゴシック体の方を明朝体より優先して「章・段落表示用のフォント、文字サイズ」として制御装置１１０内の記憶装置に記憶する。
【００８２】
そして、ステップＳ６６において、通常文章用に格納した文字サイズより小さい文字サイズで頻度の最も高い書体および文字サイズを「注釈・参照表示用のフォント書体、文字サイズ」として制御装置１１０内の記憶装置に記憶する。但し、使用されているフォントで通常文章用より小さい文字サイズが複数検出された場合、検出した書体が明朝の方をゴシックより優先して「注釈・参照表示用のフォント書体、文字サイズ」として記憶装置に記憶して、処理を終了する。
【００８３】
図１０は、本発明に係る印刷装置における第５のデータ処理手順を示すフローチャートであり、印刷装置側の印刷処理手順に対応する。なお、Ｓ７１〜Ｓ７６は各ステップを示す。
【００８４】
先ず、ステップＳ７１において、制御装置１１０内の記憶装置に格納された印刷データが両面の指定で印刷されるかを制御装置１１０が判断し、両面で印刷されていないと判断した場合は、ステップＳ７３へ進み、両面で印刷されると判断した場合は、ステップＳ７２において「ページレイアウト」情報として制御装置１１０内の記憶装置に記憶する。
【００８５】
そして、ステップＳ７３で、印刷データが複数ページ（Ｎｉｎ１）で印刷されるかどうかを制御装置１１０が判断し、複数ページ（Ｎｉｎ１）で印刷されないと判断した場合は、ステップＳ７５へ進み、複数ページ（Ｎｉｎ１）で印刷されると判断した場合は、ステップＳ７４で、「ページレイアウト」情報として同じく制御装置１１０内の記憶装置に記憶する。
【００８６】
次に、ステップＳ７５で、制御装置１１０内の記憶装置に格納された印刷データがカラーで印刷さるかどうかを制御装置１１０が判断し、カラーで印刷されないと判断した場合は、処理を終了し、カラーで印刷されると判断した場合は、ステップＳ７６において「カラーモード情報」をカラーとして制御装置１１０内の記憶装置に記憶して、処理を終了する。
【００８７】
なお、ホストコンピュータ４０１、４０２等は文章ドキュメントを画像入出力システム１００のプリンタ装置３００で出力する場合、プリンタ装置３００に適した印刷命令を生成し、当該プリンタ装置３００に対して生成した印刷命令を含んだ印刷データを送信する。
【００８８】
そして、文字フォントの書体および文字サイズの選択に使用する印刷命令は「通常文章用のフォント書体、文字サイズ」、「章・段落表示用のフォント書体、文字サイズ」、「注釈・参照表示用のフォント書体、文字サイズ」でそれぞれ指定を行うものとする。
【００８９】
また、両面印刷や複数ページ印刷（Ｎｉｎ１）の選択に使用する印刷命令は「ページレイアウト選択命令」でそれぞれ指定を行うものとする。
【００９０】
また、カラーで印刷するかモノクロで印刷するかの選択に使用する印刷命令は「カラーモード選択命令」でそれぞれ行うものとする。
【００９１】
また、記憶装置に格納された既存の印刷データに体裁を合わせるかどうかの指定も生成する印刷命令で行うものとする。
【００９２】
図１１は、本発明に係る印刷装置における第６のデータ処理手順を示すフローチャートであり、コンピュータ４０１、４０２等から生成した印刷命令を含む印刷データが送信されてきた時の画像入出力システム１００側のデータ処理手順に対応する。なお、Ｓ８１〜Ｓ８６は各ステップを示す。
【００９３】
先ず、ステップＳ８１で、制御装置１１０内の記憶装置に格納された既存の印刷データとの体裁を合わせる印刷命令が指定されているかどうかを制御装置１１０が判断して、指定されていないと判断した場合、本処理を終了し、通常の出力処理を行う。
【００９４】
一方、ステップＳ８１で、体裁を合わせる印刷命令が指定されていると判断した場合は、ステップＳ８２において、制御装置１１０内の記憶装置に格納されている「通常文章用のフォント書体、文字サイズ」を印刷データのフォント選択時に参照する参照テーブルに記憶する。そして、印刷データ中の印刷命令で「通常文章用のフォント書体、文字サイズ」が指定された場合、この参照用のテーブルに記載されているフォント書体、文字サイズで選択処理を行う。
【００９５】
次に、ステップＳ８３で、制御装置１１０内の記憶装置に格納されている「章・段落表示用のフォント書体、文字サイズ」を印刷データのフォント選択時に参照する参照テーブルに記憶する。
【００９６】
次に、ステップＳ８４で、制御装置１１０内の記憶装置に格納されている「注釈・参照表示用のフォント書体、文字サイズ」を印刷データのフォント選択時に参照する参照テーブルに記憶する。
【００９７】
次に、ステップＳ８５で、制御装置１１０内の記憶装置に格納されている「ページレイアウト情報」を印刷データの「ページレイアウト選択命令」時に参照するテーブルに記憶する。そして、印刷データ中の印刷命令で「ページレイアウト選択命令」が指定された場合、この参照用のテーブルに記載されているページレイアウト情報に従って、両面印刷及び複数ページ印刷（Ｎｉｎ１）の選択を行う。
【００９８】
次に、ステップＳ８６において、制御装置１１０内の記憶装置に格納されている「カラーモード情報」を印刷データの「カラーモード選択命令」時に参照するテーブルに記憶して、本処理を終了する。
【００９９】
そして、印刷データ中の印刷命令で「カラーモード選択命令」が指定された場合、この参照用のテーブルに記載されているカラーモード情報に従って、カラー印刷およびモノクロ印刷の選択を行う。
【０１００】
上記第２実施形態によれば、コピーやＦＡＸ等による出力で機器内に印刷データとして格納された文書に使用されているフォントの書体や文字サイズとホストコンピュータから出力する文書データで使用されているフォントの書体や文字サイズを合わせて、全体の文書として体裁の整った資料を作成することができるという効果がある。
【０１０１】
同様に、コピーやＦＡＸ等による出力で機器内に印刷データとして格納された文書が両面印刷や複数ページ印刷（Ｎｉｎ１）されている場合、ホストコンピュータから出力する文書データのレイアウトと合わせて全体の文書として体裁の整った資料とを作成することができるという効果がある。
【０１０２】
同様に、コピーやＦＡＸ等による出力で機器内に印刷データとして格納された文書がカラーで印刷されている場合、ホストコンピュータから出力する文書データをカラー出力に合わせて全体の文書ドキュメントとして体裁の整った資料を作成することができるという効果がある。
【０１０３】
〔第３実施形態〕
以下、図１２に示すメモリマップを参照して本発明に係る印刷装置で読み取り可能なデータ処理プログラムの構成について説明する。
【０１０４】
図１２は、本発明に係る印刷装置で読み取り可能な各種データ処理プログラムを記憶する記憶媒体のメモリマップを説明する図である。
【０１０５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０７】
本実施形態における図３，図５，図７，図９，図１０，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０９】
この場合、記憶媒体から読み出されたプログラムコード自体が本発明の新規な機能を実現することになり、そのプログラムコードを記憶した記憶媒体は本発明を構成することになる。
【０１１０】
従って、プログラムの機能を有していれば、オブジェクトコード、インタプリタにより実行されるプログラム、ＯＳに供給するスクリプトデータ等、プログラムの形態を問わない。
【０１１１】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１１２】
この場合、記憶媒体から読出されたプログラムコード自体が前述した実施形態の機能を実現することになり、そのプログラムコードを記憶した記憶媒体は本発明を構成することになる。
【０１１３】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１１４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１７】
本発明は上記実施形態に限定されるものではなく、本発明の趣旨に基づき種々の変形（各実施形態の有機的な組合せを含む）が可能であり、それらを本発明の範囲から排除するものではない。
【０１１８】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１４について説明する。
【０１１９】
〔実施態様１〕
ホストコンピュータから印刷情報を受信して印刷処理を行う印刷装置であって、スキャナで読み込まれる文書の体裁を示す体裁情報を取得する取得手段（図１に示す制御装置１１０による図３に示すステップＳ３１〜Ｓ３６）と、前記取得手段により取得される体裁情報を印刷情報に利用することが指定されているかを判断する判断手段（図１に示す制御装置１１０による図７に示すステップＳ５１）と、前記取得手段により取得される体裁情報を利用することが指定されていると前記判断手段により判断した場合に、前記ホストコンピュータから受信する印刷情報の体裁を、前記取得手段により取得される前記体裁情報を参照して調整する印刷制御手段（図１に示す制御装置１１０による図７に示すステップＳ５２〜Ｓ５６）とを有することを特徴とする印刷装置。
【０１２０】
これにより、ホストコンピュータで体裁指定されている印刷情報を受信して印刷する際に、印刷装置で記憶される体裁情報を利用する指定がなされている場合には、簡単な原稿読取り処理から取得される既存の出力文書の体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１２１】
〔実施態様２〕
ホストコンピュータから印刷情報を受信して印刷処理を行う印刷装置であって、記憶装置に格納されているデータの体裁を示す体裁情報を取得する取得手段（図９に示す制御装置１１０による図３に示すステップＳ６１〜Ｓ６６）と、前記取得手段により取得される体裁情報を印刷情報に利用することが指定されているかを判断する判断手段（図１１に示すステップＳ８１）と、前記取得手段により取得される体裁情報を利用することが指定されていると前記判断手段により判断した場合に、前記ホストコンピュータから受信する印刷情報の体裁を、前記記憶手段に記憶される前記体裁情報を参照して調整する印刷制御手段（図１に示す制御装置１１０による図１１に示すステップＳ８２〜Ｓ８６）と、
を有することを特徴とする印刷装置。
【０１２２】
これにより、ホストコンピュータで体裁指定されている印刷情報を受信して印刷する際に、印刷装置で記憶される体裁情報を利用する指定がなされている場合には、簡単な原稿読取り処理から取得される既存の出力文書の体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１２３】
〔実施態様３〕
前記体裁情報は、文書中の文字の文字フォントの書体、文字サイズを含むことを特徴とする実施態様１または２記載の印刷装置。
【０１２４】
これにより、ホストコンピュータで体裁指定されている印刷情報を受信して印刷する際に、印刷装置で記憶される体裁情報を利用する指定がなされている場合には、簡単な原稿読取り処理から取得される既存の出力文書の文字フォントの書体、文字サイズを含む体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１２５】
〔実施態様４〕
前記体裁情報は、文書のページ構成が両面印刷であることまたは複数ページ印刷（Ｎｉｎ１）であることを示すレイアウト情報を含むことを特徴とする実施態様１または２記載の印刷装置。
【０１２６】
これにより、ホストコンピュータで体裁指定されている印刷情報を受信して印刷する際に、印刷装置で記憶される体裁情報を利用する指定がなされている場合には、簡単な原稿読取り処理から取得される既存の出力文書のページ構成が両面印刷および複数ページ印刷（Ｎｉｎ１）等のレイアウト情報を含む体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１２７】
〔実施態様５〕
前記体裁情報は、文書がカラー出力またはモノクロ出力であるかを示すカラーモード情報を含むことを特徴とする実施態様１または２記載の印刷装置。
【０１２８】
これにより、ホストコンピュータで体裁指定されている印刷情報を受信して印刷する際に、印刷装置で記憶される体裁情報を利用する指定がなされている場合には、簡単な原稿読取り処理から取得される既存の出力文書の出力される画像がカラー出力またはモノクロ出力であるかを示すカラーモード情報を含む体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１２９】
〔実施態様６〕
前記取得手段は、使用頻度のより高い書体または文字サイズを示す体裁情報を取得し、
前記印刷制御手段は、前記印刷情報が示す文字を、前記取得手段により取得される体裁情報が示す書体または文字サイズで印刷するよう調整することを特徴とする実施態様１乃至５のいずれかに記載の印刷装置。
【０１３０】
これにより、ホストコンピュータで体裁指定されている印刷情報を受信して印刷する際に、印刷装置で記憶される体裁情報を利用する指定がなされている場合には、使用頻度のより高い書体または文字サイズを含む体裁情報を利用して、印刷要求されている印刷情報の体裁を調整できるため、ホストコンピュータ側の印刷情報作成者が任意に体裁情報を指定していても、印刷装置から体裁にばらつきのない見慣れた印刷結果を得ることができる。
【０１３１】
〔実施態様７〕
ホストコンピュータから印刷情報を受信して印刷処理を行う印刷装置における印刷制御方法であって、スキャナで読み込まれる文書の体裁を示す体裁情報を取得する取得ステップ（図１に示す制御装置１１０による図３に示すステップＳ３１〜Ｓ３６）と、前記取得ステップで取得される体裁情報を利用することが指定されているかを判断する判断ステップ（図１に示す制御装置１１０による図７に示すステップＳ５１）と、前記取得ステップで取得される体裁情報を利用することが指定されていると前記判断ステップで判断した場合に、前記ホストコンピュータから受信する印刷情報の体裁を、前記取得ステップにより取得される前記体裁情報を参照して調整する印刷制御ステップ（図１に示す制御装置１１０による図７に示すステップＳ５２〜Ｓ５６）とを有することを特徴とする印刷制御方法。
【０１３２】
これにより、実施態様１と同等の効果が期待できる。
【０１３３】
〔実施態様８〕
ホストコンピュータから印刷情報を受信して印刷処理を行う印刷装置における印刷制御方法であって、記憶装置に格納されているデータの体裁を示す体裁情報を取得する取得ステップ（図９に示す制御装置１１０による図３に示すステップＳ６１〜Ｓ６６）と、前記取得ステップで取得される体裁情報を利用することが指定されているかを判断する判断ステップ（図１１に示すステップＳ８１）と、前記取得ステップで取得される体裁情報を利用することが指定されていると前記判定ステップで判断した場合に、前記ホストコンピュータから受信する印刷情報の体裁を、前記取得ステップで取得される前記体裁情報を参照して調整する印刷制御ステップ（図１に示す制御装置１１０による図１１に示すステップＳ８２〜Ｓ８６）とを有することを特徴とする印刷制御方法。
【０１３４】
これにより、実施態様２と同等の効果が期待できる。
【０１３５】
〔実施態様９〕
前記体裁情報は、文書中の文字の文字フォントの書体、文字サイズを含むことを特徴とする実施態様７または８記載の印刷制御方法。
【０１３６】
これにより、実施態様３と同等の効果が期待できる。
【０１３７】
〔実施態様１０〕
前記体裁情報は、文書のページ構成が両面印刷であることまたは複数ページ印刷（Ｎｉｎ１）であることを示すレイアウト情報を含むことを特徴とする実施態様７または８記載の印刷制御方法。
【０１３８】
これにより、実施態様４と同等の効果が期待できる。
【０１３９】
〔実施態様１１〕
前記体裁情報は、文書がカラー出力またはモノクロ出力であるかを示すカラーモード情報を含むことを特徴とする実施態様７または８記載の印刷制御方法。
【０１４０】
これにより、実施態様５と同等の効果が期待できる。
【０１４１】
〔実施態様１２〕
前記取ステップでは、使用頻度のより高い書体または文字サイズを示す体裁情報を取得し、前記印刷制御ステップでは、前記印刷情報が示す文字を、前記取得手段により取得される体裁情報が示す書体または文字サイズで印刷するよう調整することを特徴とする実施態様７乃至１１のいずれかに記載の印刷装置。
【０１４２】
これにより、実施態様６と同等の効果が期待できる。
【０１４３】
〔実施態様１３〕
実施態様７〜１２のいずれかに記載の印刷制御方法を実行させるためのプログラムを格納したことを特徴とするコンピュータが読み取り可能な記憶媒体。
【０１４４】
これにより、実施態様７〜１２と同等の効果が期待できる。
【０１４５】
〔実施態様１４〕
実施態様７〜１２のいずれかに記載の印刷制御方法を実行させることを特徴とするプログラム。
【０１４６】
これにより、実施態様７〜１２と同等の効果が期待できる。
【図面の簡単な説明】
【０１４７】
【図１】本発明の第１実施形態を示す印刷装置を適用可能な画像入出力システムの一例を示す図である。
【図２】図１に示したリーダ部及びプリンタ部の構成を説明する断面図である。
【図３】本発明に係る印刷装置における第１のデータ処理手順を示すフローチャートである。
【図４】図１に示したスキャナユニットにより読み込まれる紙文書の一例を示す図である。
【図５】本発明に係る印刷装置における第２のデータ処理手順を示すフローチャートである。
【図６】図１に示したスキャナユニットにより読み込まれる紙文書の一例を示す図である。
【図７】本発明に係る印刷装置における第３のデータ処理手順を示すフローチャートである。
【図８】図１に示したホストコンピュータが生成する印刷データの構造例を示す図である。
【図９】本発明に係る印刷装置における第４のデータ処理手順を示すフローチャートである。
【図１０】本発明に係る印刷装置における第５のデータ処理手順を示すフローチャートである。
【図１１】本発明に係る印刷装置における第６のデータ処理手順を示すフローチャートである。
【図１２】本発明に係る画像処理装置で読み取り可能な各種データ処理プログラムを記憶する記憶媒体のメモリマップを説明する図である。
【符号の説明】
【０１４８】
１００  画像入出力システム
１１０  制御装置
３００  プリンタ装置
４０１，４０２  ホストコンピュータ
【図１】
2006142697.tif 000003
【図２】
2006142697.tif 000004
【図３】
2006142697.tif 000005
【図４】
2006142697.tif 000006
【図５】
2006142697.tif 000007
【図６】
2006142697.tif 000008
【図７】
2006142697.tif 000009
【図８】
2006142697.tif 000010
【図９】
2006142697.tif 000011
【図１０】
2006142697.tif 000012
【図１１】
2006142697.tif 000013
【図１２】
2006142697.tif 000014